(57)【特許請求の範囲】
【請求項１】
支持基板と、
前記支持基板上において第１の方向に延在する複数本の隔壁部材からなる隔壁と、
前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置であって、
前記複数の凹部は、その第２の方向の幅が、第１の方向の一方の端部から他方の端部に近づくにつれて狭くなる複数の第１の凹部と、その第２の方向の幅が、第１の方向の一方の端部から他方の端部に近づくにつれて広くなる複数の第２の凹部とからなる、表示装置。
【請求項２】
前記第１の凹部と第２の凹部とが、第２の方向に交互に配置される、請求項１記載の表示装置。
【請求項３】
第２の方向に前記第１の凹部、第１の凹部、第２の凹部および第２の凹部の順に配置される凹部の並びが、第２の方向に繰り返し配置される、請求項１記載の表示装置。
【請求項４】
支持基板と、前記支持基板上において第１の方向に延在する複数本の隔壁部材からなる隔壁と、前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置の製造方法であって、
前記凹部の第２の方向の幅が、第１の方向の一方の端部から他方の端部に近づくにつれて狭くなる複数の第１の凹部と、前記凹部の第２の方向の幅が、第１の方向の一方の端部から他方の端部に近づくにつれて広くなる複数の第２の凹部とを構成する形状の隔壁と、前記複数の有機ＥＬ素子の画素電極とがその上に設けられた支持基板を用意する工程と、  前記隔壁部材間にノズルプリンティング法により所定のインキを供給し、これを固化することにより、有機ＥＬ素子の所定の機能層を形成する工程と、
前記機能層上に上部電極を形成する工程とを有し、
前記インキを供給する際には、第１の方向において、凹部の幅の広い一方から凹部の幅の狭い他方に向けて連続的にインキを供給する、表示装置の製造方法。
【発明の詳細な説明】
【技術分野】
【０００１】
本発明は発光装置およびその製造方法に関する。
【背景技術】
【０００２】
表示装置には種々のタイプのものがある。そのひとつに、画素の光源として有機ＥＬ（Electro Luminescence）素子を用いた表示装置がある。この表示装置は、支持基板と、第１の方向に延在する複数本の隔壁部材１７からなる隔壁２０と、各隔壁部材間において第１の方向Ｘに沿って等間隔をあけて配置される複数の有機ＥＬ素子２２とを含んで構成される（図８参照）。
【０００３】
有機ＥＬ素子は、第１の電極、１層以上の機能層、および第２の電極が、支持基板寄りからこの順序で積層されて構成される。
【０００４】
機能層は塗布法によって形成することができる。たとえば機能層は、この機能層となる材料を含むインキを、隔壁部材１７と隔壁部材１７との間の凹部に供給し、さらにこれを固化することにより形成される。インキの供給はたとえばノズルプリンティング法によっておこなわれる。ノズルプリンティング法によって機能層を形成したのちに、さらに上部電極を所定の方法によって形成することで、支持基板上に複数の有機ＥＬ素子を形成ることができる（たとえば特許文献１参照。）。
【先行技術文献】
【特許文献】
【０００５】
【特許文献１】特開２００２−７５６４０号公報
【発明の概要】
【発明が解決しようとする課題】
【０００６】
図８は表示装置の一部を模式的に示す平面図である。図８では、ノズルプリンティング装置のノズル４の経路を矢印を用いて模式的に示している。図８に示すようにノズルプリンティング法では一筆書きでインキを塗布する。
【０００７】
以下、図８を参照して所定の１つの行に着目し、当該行に形成された塗布膜の性状について説明する。なお本明細書中、塗布膜とはインキが塗布された後にこれが固化されて薄膜化した薄膜を意味する。
【０００８】
本発明者等は、ノズルプリンティング法によって塗布膜を形成した場合、形成された塗布膜の膜厚に、ばらつきが生じることを見出した。たとえば図８において、右側の一端から左側の他端までインキが塗布された行に着目すると、塗布膜の膜厚は、右側の方が厚くなるという現象が観測された。逆に、左側の一端から右側の他端までインキが塗布された行に着目すると、塗布膜の膜厚が、左側の方が厚くなるという現象が観測された。すなわちインキの塗布方向の上手側から下手側に近づくほど塗布膜の膜厚が薄くなるということを本発明者等は見出した。このように、塗布膜（機能層）の膜厚にばらつきが生じると、各有機ＥＬ素子の発光特性にもばらつきが生じ、各有機ＥＬ素子を発光させたときに、たとえば２行ごとにスジが観測されることもあり、表示装置としての表示品質が低下することがある。
【０００９】
したがって本発明の目的は、ノズルプリンティング法によって表示装置を作製する場合に、有機ＥＬ素子の発光特性のばらつきを抑制することが可能な発光装置およびその製造方法を提供することにある。
【課題を解決するための手段】
【００１０】
本発明は、支持基板と、
前記支持基板上において第１の方向に延在する複数本の隔壁部材からなる隔壁と、
前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置であって、
前記複数の凹部は、その第２の方向の幅が、第１の方向の一方の端部から他方の端部に近づくにつれて狭くなる複数の第１の凹部と、その第２の方向の幅が、第１の方向の一方の端部から他方の端部に近づくにつれて広くなる複数の第２の凹部とからなる、表示装置に関する。
【００１１】
また本発明は、前記第１の凹部と第２の凹部とが、第２の方向に交互に配置される、表示装置に関する。
【００１２】
また本発明は、第２の方向に前記第１の凹部、第１の凹部、第２の凹部および第２の凹部の順に配置される凹部の並びが、第２の方向に繰り返し配置される、表示装置に関する。
【００１３】
また本発明は、支持基板と、前記支持基板上において第１の方向に延在する複数本の隔壁部材からなる隔壁と、前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置の製造方法であって、
前記凹部の第２の方向の幅が、第１の方向の一方の端部から他方の端部に近づくにつれて狭くなる複数の第１の凹部と、前記凹部の第２の方向の幅が、第１の方向の一方の端部から他方の端部に近づくにつれて広くなる複数の第２の凹部とを構成する形状の隔壁と、前記複数の有機ＥＬ素子の画素電極とがその上に設けられた支持基板を用意する工程と、
前記隔壁部材間にノズルプリンティング法により所定のインキを供給し、これを固化することにより、有機ＥＬ素子の所定の機能層を形成する工程と、
前記機能層上に上部電極を形成する工程とを有し、
前記インキを供給するさいには、第１の方向において、凹部の幅の広い一方から凹部の幅の狭い他方に向けて連続的にインキを供給する、表示装置の製造方法に関する。
【発明の効果】
【００１４】
本発明によれば、ノズルプリンティング法によって表示装置を作製する場合に、有機ＥＬ素子の発光特性のばらつきを抑制することが可能な発光装置およびその製造方法を提供することができる。
【図面の簡単な説明】
【００１５】
【図１】本実施形態の発光装置２１を模式的に示す平面図である。
【図２】発光装置２１を模式的に拡大して示す断面図である。
【図３】発光装置２１の隔壁部材１７の配置を誇張して示す平面図である。
【図４】発光装置２１の隔壁部材１７の配置を誇張して示す平面図である。
【図５】ノズルプリンティング法でインキを塗布するときの動作を模式的に示す図である。
【図６】ノズルプリンティング法でインキを塗布するときの動作を模式的に示す図である。
【図７】発光装置２１の隔壁部材１７の配置を誇張して示す平面図である。
【図８】表示装置の一部を模式的に示す平面図である。
【発明を実施するための形態】
【００１６】
本発明の表示装置は、支持基板と、前記支持基板上において第１の方向に延在する複数本の隔壁部材からなる隔壁と、前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置であって、前記複数の凹部は、その第２の方向の幅が、第１の方向の一方の端部から他方の端部に近づくにつれて狭くなる複数の第１の凹部と、その第２の方向の幅が、第１の方向の一方の端部から他方の端部に近づくにつれて広くなる複数の第２の凹部とからなる、表示装置である。
【００１７】
表示装置には主にアクティブマトリクス駆動型の装置と、パッシブマトリクス駆動型の装置とがある。本発明は両方の型の表示装置に適用することができるが、本実施形態では一例としてアクティブマトリクス駆動型の表示装置に適用される発光装置について説明する。
【００１８】
＜発光装置の構成＞
まず発光装置の構成について説明する。図１は本実施形態の発光装置２１を模式的に示す平面図であり、図２は発光装置２１を模式的に拡大して示す断面図である。発光装置２１は主に支持基板１１と、この支持基板上に設けられる複数の有機ＥＬ素子２２とを含んで構成される。
【００１９】
本実施形態では複数の有機ＥＬ素子２２は、支持基板１１上において、第１の方向Ｘおよび当該第１の方向Ｘに対して垂直な第２の方向Ｙにそれぞれ所定の間隔をあけてマトリクス状に配置される。なお本実施形態では有機ＥＬ素子２２は、第１の方向Ｘに等間隔をあけて配置されるとともに、第２の方向Ｙに等間隔をあけて配置される。
【００２０】
本実施形態では第１の方向Ｘと第２の方向Ｙとは、それぞれ支持基板１１の厚み方向Ｚに対して垂直な方向である。以下では、支持基板１１の厚み方向Ｚをたんに厚み方向Ｚということがある。
【００２１】
前記支持基板１１上には、必要に応じて、各有機ＥＬ素子２２を個別に規定する絶縁膜１５が設けられる。この絶縁膜１５には、前記複数の有機ＥＬ素子に対応する位置に開口が形成されている。各有機ＥＬ素子２２は、厚み方向Ｚの一方から見て（以下、平面視ということがある。）、絶縁膜１５の開口の形成される部位に設けられる。後述するように有機ＥＬ素子を構成する機能層は、第１の方向Ｘに隣り合う有機ＥＬ素子２２と連なるように形成されており、物理的には連続しているが、上記の絶縁膜１５によって、第１の方向Ｘに隣り合う有機ＥＬ素子２２は電気的に絶縁されている。
【００２２】
絶縁膜１５の開口は、各有機ＥＬ素子２２が設けられる位置に形成されるため、有機ＥＬ素子２２と同様に、マトリクス状に配置される。このように絶縁膜１５にはマトリクス状に開口が形成される。換言すると絶縁膜１５は平面視で格子状に形成される。絶縁膜１５の開口は平面視で、後述する画素電極１２と略一致するように形成され、たとえば略矩形、略円形および略楕円形などに形成される。格子状の絶縁膜１５は平面視で、画素電極１２を除く領域に主に形成され、その一部が画素電極１２の周縁を覆って形成されている。
【００２３】
本実施形態では絶縁膜１５上に、第１の方向Ｘに延在する複数本の隔壁部材１７から構成される隔壁１７が設けられる。各隔壁部材１７は、第２の方向Ｙに隣り合う有機ＥＬ素子間に配置される。このように本実施形態ではいわゆるストライプ状の隔壁１７が絶縁膜１５上に設けられる。
【００２４】
有機ＥＬ素子２２は隔壁１７によって画定される区画に設けられる。すなわち前記第１の方向Ｘとは垂直な第２の方向Ｙに相対する一対の前記隔壁部材１７により複数の凹部１８が規定され、この各凹部１８において前記第１の方向に所定の間隔をあけて複数の有機ＥＬ素子２２が配置される。なお各有機ＥＬ素子２２は物理的に離間している必要はなく、個別に駆動できるように電気的に絶縁されていればよい。そのため有機ＥＬ素子を構成する一部の層（電極や機能層）は他の有機ＥＬ素子と物理的につながっていてもよい。
【００２５】
有機ＥＬ素子２２は、第１の電極１２、機能層１３，１４、第２の電極１６が支持基板１１寄りからこの順に配置されて構成される。本明細書では、第１の電極１２を画素電極１２と記載し、第２の電極１６を上部電極１６と記載する。
【００２６】
画素電極１２および上部電極１６は、陽極と陰極とからなる一対の電極を構成する。すなわち画素電極１２および上部電極１６のうちの一方が陽極として設けられ、他方が陰極として設けられる。また画素電極１２および上部電極１６のうちの画素電極１２が支持基板１１寄りに配置され、上部電極１６が、画素電極１２よりも支持基板１１から離間して配置される。
【００２７】
有機ＥＬ素子２２は１層以上の機能層を備える。なお機能層は本明細書において画素電極１２と上部電極１６とに挟持される全ての層を意味する。有機ＥＬ素子２２は機能層として少なくとも１層以上の発光層を備える。また電極間には発光層に限らず、必要に応じて所定の層が設けられる。たとえば陽極と発光層との間には、機能層として正孔注入層、正孔輸送層、および電子ブロック層などが設けられる。発光層と陰極との間には、機能層として正孔ブロック層、電子輸送層、および電子注入層などが設けられる。
【００２８】
本実施形態の有機ＥＬ素子２２は画素電極１２と発光層１４との間に、機能層として正孔注入層１３を備える。
【００２９】
以下では実施の一形態として、陽極として機能する画素電極１２と、正孔注入層１３と、発光層１４と、陰極として機能する上部電極１６とが、支持基板１１寄りからこの順番で積層されて構成される有機ＥＬ素子２２について説明する。
【００３０】
本実施形態の発光装置２１はアクティブマトリクス型の装置であり、各有機ＥＬ素子２２を個別に駆動することを可能にするために、画素電極１２は有機ＥＬ素子２２ごとに個別に設けられる。すなわち有機ＥＬ素子２２の数と同数の画素電極１２が支持基板１１上に設けられる。たとえば画素電極１２は薄膜状であって、平面視で略矩形状に形成される。画素電極１２は支持基板１１上において、各有機ＥＬ素子が設けられる位置に対応して、マトリクス状に設けられる。複数の画素電極１２は、第１の方向Ｘに所定の間隔をあけるとともに、第２の方向Ｙに所定の間隔をあけて配置される。なお画素電極１２は平面視で、第２の方向Ｙに隣り合う隔壁部材１７間に設けられ、各隔壁部材１７間において、第１の方向Ｘに所定の間隔をあけて配置されている。
【００３１】
前述したように格子状の絶縁膜１５は平面視で画素電極１２を除く領域に主に形成され、その一部が画素電極１２の周縁を覆って形成される。すなわち絶縁膜１５には画素電極１２上に開口が形成され、この開口によって画素電極１２の表面が絶縁膜１５から露出している。
【００３２】
正孔注入層１３は隔壁部材１７に挟まれた領域に第１の方向Ｘに延在して配置される。すなわち正孔注入層１３は、第２の方向Ｙに隣り合う隔壁部材１７によって画定される凹部１８に、帯状に形成されており、第１の方向Ｘに隣り合う有機ＥＬ素子２２にわたって連続して形成されている。
【００３３】
発光層１４は隔壁部材１７挟まれた領域に第１の方向Ｘに延在して配置される。すなわち発光層１４は、第２の方向Ｙに隣り合う隔壁部材１７によって画定される凹部１８に、帯状に形成されており、第１の方向Ｘに隣り合う有機ＥＬ素子にわたって連続して形成されている。帯状の発光層１４は帯状の正孔注入層１３上に積層される。
【００３４】
本発明はモノクロ表示装置にも適用できるが、本実施形態では一例としてカラー表示装置について説明する。カラー表示装置の場合、赤色、緑色および青色のいずれか１種の光を放つ３種類の有機ＥＬ素子が支持基板１１上に設けられる。カラー表示装置はたとえば以下の（Ｉ）（ＩＩ）（ＩＩＩ）の行を、この順序で、第２の方向Ｙに繰り返し配置することにより実現することができる。
【００３５】
（Ｉ）赤色の光を放つ複数の有機ＥＬ素子２２Ｒが第１の方向Ｘに所定の間隔をあけて配置される行。
（ＩＩ）緑色の光を放つ複数の有機ＥＬ素子２２Ｇが第１の方向Ｘに所定の間隔をあけて配置される行。
（ＩＩＩ）青色の光を放つ複数の有機ＥＬ素子２２Ｂが第１の方向Ｘに所定の間隔をあけて配置される行。
【００３６】
このように発光色の異なる３種類の有機ＥＬ素子を形成する場合、通常は素子の種類ごとに発光色の異なる発光層が設けられる。本実施形態では以下の（ｉ）（ｉｉ）（ｉｉｉ）の行を、この順序で、第２の方向Ｙに繰り返し配置する。
【００３７】
（ｉ）赤色の光を放つ発光層１４Ｒが設けられる行。
（ｉｉ）緑色の光を放つ発光層１４Ｇが設けられる行。
（ｉｉｉ）青色の光を放つ発光層１４Ｂが設けられる行。
【００３８】
この場合、第１の方向Ｘに延在する帯状の３種類の発光層１４Ｒ，１４Ｇ，１４Ｂが、それぞれ第２の方向Ｙに２行の間隔をあけて順次正孔注入層１３上に積層される。
【００３９】
上部電極１６は発光層１４上に設けられる。なお本実施形態では上部電極１６は複数の有機ＥＬ素子２２にまたがって連続して形成され、複数の有機ＥＬ素子に共通の電極として設けられる。上部電極１６は、発光層１４上だけでなく、隔壁１７上にも形成され、発光層１４上の電極と隔壁１７上の電極とが連なるように一面に形成されている。
【００４０】
図３は、発光装置２１の隔壁部材１７の配置を誇張して示す平面図である。図３に示すように、隔壁部材１７によって規定される複数の凹部１８は、その第２の方向Ｙの幅が、第１の方向の一方の端部から他方の端部に近づくにつれて狭くなる複数の第１の凹部と、その第２の方向の幅が、第１の方向の一方の端部から他方の端部に近づくにつれて広くなる複数の第２の凹部とから構成される。なお以下では、「凹部１８の第２の方向Ｙの幅」をたんに「凹部１８の幅」と記載することがある。
【００４１】
第１の凹部と第２の凹部の配置には以下の２通りの配置がある。
（１）前記第１の凹部と第２の凹部とが、第２の方向に交互に配置される（図３参照）。
（２）第２の方向に前記第１の凹部、第１の凹部、第２の凹部および第２の凹部の順に配置される凹部の並びが、第２の方向に繰り返し配置される（図７参照）。
【００４２】
たとえばすべての有機ＥＬ素子に共通する機能層をとくに均一に形成する場合には、（１）の構成が好ましい。またたとえばモノクロの表示装置の発光層を均一に形成する場合には、（１）の構成が好ましい。さらには、奇数種類（たとえば、後述の赤インキ、緑インキ、青インキ）を塗り分ける場合には（１）の構成が好ましい。
【００４３】
また偶数種類（たとえば、赤インキ、緑インキ、青インキ、白色の光を放つ材料を含む白インキ）を塗り分ける場合に、当該インキの塗布膜をとくに均一に形成する場合には（２）の構成が好ましい。
【００４４】
第１の凹部と第２の凹部とから構成される凹部１８は、図３に示すように、たとえば隔壁部材１７の配置により規定される。具体的には第１の方向Ｘに延在する直線をその中心を支点にして時計回りにわずかに傾けた方向に延在する隔壁部材１７と、第１の方向Ｘに延在する直線をその中心を支点にして反時計回りにわずかに傾けた方向に延在する隔壁部材１７とを、第２の方向Ｙに交互に配置することにより、上記（１）の配置の第１の凹部と第２の凹部とが構成される。
【００４５】
凹部の幅のテーパ角（図３に示す本実施形態では、第２の方向Ｙに相対する一対の隔壁部材１７をそれぞれ延長して仮想的に交差させたときのその交差角度）は、0.00001°〜0.1°であり、0.0001°〜0.01°が好ましい。
【００４６】
なお図３に示す実施形態では隔壁部材１７の延在する方向をわずかに異ならせることによって第１の凹部と第２の凹部とを構成するとしたが、たとえば図４に示すように、隔壁部材１７の第２の幅を、第１の方向の一方または他方に向かって幅広にすることにより、第１の凹部と第２の凹部とを構成してもよい。なお図４は発光装置２１の隔壁部材１７の配置を誇張して示す平面図であり、隔壁部材１７にハッチングを施している。
【００４７】
このように複数の第１の凹部と複数の第２の凹部とからなる複数の凹部を形成すると、後述するように、インキを供給するさいに、凹部の幅の広い一方から凹部の幅の狭い他方に向けて連続的にインキを供給すると、塗布膜の膜厚を略均一にすることができる。
【００４８】
＜発光装置の製造方法＞
つぎに発光装置の製造方法について説明する。
【００４９】
本発明の発光装置の製造方法は、支持基板と、前記支持基板上において第１の方向に延在する複数本の隔壁部材からなる隔壁と、前記第１の方向とは垂直な第２の方向に相対する一対の前記隔壁部材により複数の凹部が規定され、当該各凹部において前記第１の方向に所定の間隔をあけて配置される複数の有機ＥＬ素子とを備える表示装置の製造方法であって、前記凹部の第２の方向の幅が、第１の方向の一方の端部から他方の端部に近づくにつれて狭くなる複数の第１の凹部と、前記凹部の第２の方向の幅が、第１の方向の一方の端部から他方の端部に近づくにつれて広くなる複数の第２の凹部とを構成する形状の隔壁と、前記複数の有機ＥＬ素子の画素電極とがその上に設けられた支持基板を用意する工程と、前記隔壁部材間にノズルプリンティング法により所定のインキを供給し、これを固化することにより、有機ＥＬ素子の所定の機能層を形成する工程と、前記機能層上に上部電極を形成する工程とを有し、前記インキを供給するさいには、凹部の幅の広い一方から凹部の幅の狭い他方に向けて連続的にインキを供給する、表示装置の製造方法に関する。
【００５０】
（支持基板を用意する工程）
本工程では前記凹部の第２の方向の幅が、第１の方向の一方の端部から他方の端部に近づくにつれて狭くなる複数の第１の凹部と、前記凹部の第２の方向の幅が、第１の方向の一方の端部から他方の端部に近づくにつれて広くなる複数の第２の凹部とを構成する形状の隔壁と、前記複数の有機ＥＬ素子の画素電極とがその上に設けられた支持基板を用意する。なお本実施形態では絶縁膜１５も設けられた支持基板を用意する。すなわち画素電極１２が前記開口から露出するように配置された前記絶縁膜１５がその上に設けられた支持基板１１を用意する。アクティブマトリクス型の表示装置の場合、複数の有機ＥＬ素子を個別に駆動するための回路が予め形成された基板を支持基板１１として用いることができる。たとえばＴＦＴ（Thin Film Transistor）およびキャパシタなどが予め形成された基板を支持基板として用いることができる。なお画素電極１２、絶縁膜１５および隔壁部材１７を以下のように本工程で形成することによって、画素電極１２、絶縁膜１５および隔壁部材１７がその上に設けられた支持基板１１を用意してもよいが、画素電極１２、絶縁膜１５および隔壁部材１７が予めその上に設けられた支持基板１１を市場から入手することにより支持基板１１を用意してもよい。
【００５１】
まず支持基板１１上に複数の画素電極１２をマトリクス状に形成する。画素電極１２は、たとえば支持基板１１上の一面に導電性薄膜を形成し、これをフォトリソグラフィ法によってマトリクス状にパターニングすることによって形成される。またたとえば所定の部位に開口が形成されたマスクを支持基板１１上に配置し、このマスクを介して支持基板１１上の所定の部位に導電性材料を選択的に堆積することにより画素電極１２をパターン形成してもよい。画素電極１２の材料については後述する。
【００５２】
つぎに格子状の絶縁膜１５を支持基板１１上に形成する。絶縁膜１５は有機物または無機物によって構成される。絶縁膜１５を構成する有機物としてはアクリル樹脂、フェノール樹脂、およびポリイミド樹脂などの樹脂を挙げることができる。また絶縁膜１５を構成する無機物としてはＳｉＯｘやＳｉＮｘなどを挙げることができる。
【００５３】
無機物からなる絶縁膜１５を形成する場合、たとえば無機物からなる薄膜をプラズマＣＶＤ法やスパッタ法などによって一面に形成し、次に所定の部位を除去することにより格子状の絶縁膜１５を形成する。所定の部位の除去はたとえばフォトリソグラフィ法によって行われる。
【００５４】
有機物からなる絶縁膜１５を形成する場合、まずたとえばポジ型またはネガ型の感光性樹脂を一面に塗布し、所定の部位を露光、現像する。さらにこれを硬化することによって、格子状の絶縁膜１５が形成される。なお感光性樹脂としてはフォトレジストを用いることができる。
【００５５】
つぎに隔壁１７を形成する。すなわち前記絶縁膜１５上に、複数本の隔壁部材１７を形成し、隔壁１７を設ける。本工程では、凹部の第２の方向の幅が、第１の方向の一方の端部から他方の端部に近づくにつれて狭くなる複数の第１の凹部と、前記凹部の第２の方向の幅が、第１の方向の一方の端部から他方の端部に近づくにつれて広くなる複数の第２の凹部とを構成する形状の隔壁を形成する。たとえば図３に示す形状の隔壁を形成する。
【００５６】
隔壁１７はたとえば絶縁膜１５の材料として例示した材料を用いて、絶縁膜１５を形成する方法と同様にしてストライプ状に形成することができる。
【００５７】
なお隔壁１７は有機物によって構成することが好ましい。隔壁１７で囲まれた凹部１８に供給されるインキを凹部１８内で保持するためには、隔壁は撥液性を示すことが好ましい。一般に無機物よりも有機物の方がインキに対して撥液性を示すので、有機物によって隔壁を構成することにより、凹部１８内にインキを保持する能力を高めることができる。
【００５８】
隔壁１７の形状、並びにその配置は、画素数および解像度などの表示装置の仕様や製造の容易さなどに応じて適宜設定される。たとえば隔壁部材１７の第２の方向Ｙの幅Ｌ１は、５μｍ〜５０μｍ程度であり、隔壁部材１７の高さＬ２は０．５μｍ〜５μｍ程度であり、凹部１８の第２の方向Ｙの幅Ｌ３は、１０μｍ〜２００μｍ程度である。また画素電極１２の第１の方向Ｘおよび第２の方向Ｙの幅はそれぞれ１０μｍ〜４００μｍ程度である。
【００５９】
（機能層を形成する工程）
本工程では、前記隔壁部材間にノズルプリンティング法により所定のインキを供給し、これを固化することにより、有機ＥＬ素子の所定の機能層を形成する。なお所定のインキとは機能層（本実施形態では正孔注入層および発光層）となる材料を含むインキを意味する。なお本工程では機能層が複数層設けられる場合、少なくとも１層をノズルプリンティング法によって形成する。前述したように、とくに図３に示すように、（１）前記第１の凹部と第２の凹部とが、第２の方向に交互に配置される場合、すべての有機ＥＬ素子に共通する機能層をノズルプリンティング法によって形成することが好ましい。なおノズルプリンティング法以外のインキの供給方法としては、スピンコート法、スリットコート法、インクジェットプリント法、凸版印刷法、および凹版印刷法などをあげることができる。
【００６０】
本実施形態ではすべての有機ＥＬ素子に共通する正孔注入層１３を形成する。そのため、この正孔注入層１３となる材料を含むインキ（以下、正孔注入層用インキということがある。）をノズルプリンティング法で供給することが好ましい。
【００６１】
以下、図５を参照して本工程を説明する。図５はノズルプリンティング法でインキを塗布するときの動作を模式的に示す図である。図５では、図３と同様に、発光装置２１の隔壁部材１７の配置を誇張して示している。
【００６２】
ノズルプリンティング法では一筆書きで各行（各凹部１８）に正孔注入層用インキを供給する。すなわち支持基板１１の上方に配置されるノズル４から液柱状の正孔注入層用インキを吐出したまま、ノズル４を第１の方向Ｘに往復移動させつつ、ノズル４の往復移動の折り返しのさいに、支持基板を第２の方向Ｙに所定の距離だけ移動させることによって、各行に正孔注入層用インキを供給する。たとえばノズル４の往復移動の折り返しのさいに、支持基板を第２の方向Ｙに１行分だけ移動することによって、全ての行に正孔注入層用インキを供給することができる。
【００６３】
そして本実施形態では、インキを供給するさいには、第１の方向Ｘにおいて、凹部の幅の広い一方から凹部の幅の狭い他方に向けて連続的にインキを供給する。図５に即して説明すると、凹部の幅が、左方に比べて右方の方が広い場合、当該行において、ノズル４は右方から左方に向けて移動する。逆に、凹部の幅が、右方に比べて左方の方が広い場合、当該行において、ノズル４は左方から右方に向けて移動する。
【００６４】
より具体的にはノズル４から液柱状の正孔注入層用インキを吐出したまま、以下の（１）〜（４）の工程をこの順序で繰り返すことにより、全ての隔壁部材１７間（凹部１８）に正孔注入層用インキを供給することができる。
（１）ノズル４を第１の方向Ｘの一端から他端に移動する工程。
（２）支持基板１１を第２の方向Ｙの一方に１行分だけ移動する工程。
（３）ノズル４を第１の方向Ｘの他端から一端に移動する工程。
（４）支持基板を第２の方向Ｙの一方に１行分だけ移動する工程。
【００６５】
以上のようにノズルプリンティング法によって正孔注入層用インキを供給することにより、正孔注入層用インキからなる薄膜が形成される。
【００６６】
このように、インキを供給するさいには、第１の方向Ｘにおいて、凹部の幅の広い一方から凹部の幅の狭い他方に向けて連続的にインキを供給することにより、略均一な膜厚の機能層（本実施形態では正孔注入層）を形成することができる。
【００６７】
（発光層を形成する工程）
つぎに発光層を形成する。前述したようにカラー表示装置を作製する場合、３種類の有機ＥＬ素子を作製する必要がある。そのため発光層の材料を行ごとに塗りわける必要がある。たとえば３種類の発光層を行ごとに形成する場合、赤色の光を放つ材料を含む赤インキ、緑色の光を放つ材料を含む緑インキ、青色の光を放つ材料を含む青インキを、それぞれ第２の方向Ｙに２行の間隔をあけて塗布する必要がある。これら赤インキ、緑インキ、青インキを所定の行に順次塗布することによって、各発光層を塗布成膜することができる。
【００６８】
赤インキ、緑インキ、青インキを所定の行に順次塗布する方法としては、隔壁部材間にインキを選択的に供給することが可能な塗布法であればどのような方法でもよい。たとえばインクジェットプリント法、ノズルプリンティング法、凸版印刷法、凹版印刷法などによってインキを供給することができる。インキの供給方法としては、短時間で均一にインキを供給可能な方法が好ましく、このような観点からはノズルプリンティング法が好ましい。本実施形態のように、奇数種類（赤インキ、緑インキ、青インキ）のインキを塗り分ける場合には、図３に示すような前述の（１）の構成を有する隔壁２０では、前述した正孔注入層を形成する方法と同様に、ノズルプリンティング法によってインキを供給することが好ましい。
【００６９】
より具体的にはノズル４から液柱状の赤インキを吐出したまま、以下の（１）〜（４）の工程をこの順序で繰り返すことにより、第２の方向Ｙに２行の間隔をあけて隔壁部材１７間（凹部１８）に赤インキを供給することができる（図６参照）。
（１）ノズル４を第１の方向Ｘの一端から他端に移動する工程。
（２）支持基板１１を第２の方向Ｙの一方に３行分だけ移動する工程。
（３）ノズル４を第１の方向Ｘの他端から一端に移動する工程。
（４）支持基板を第２の方向Ｙの一方に３行分だけ移動する工程。
【００７０】
上述の赤インキと同様にして緑インキ、青インキをそれぞれ供給することによって、第２の方向Ｙに２行の間隔をあけて隔壁部材１７間（凹部１８）にそれぞれ緑インキ、青インキを供給することができる。
【００７１】
このように、ノズルプリンティング法によって奇数種類のインキを塗り分ける場合、第１の方向Ｘにおいて、凹部の幅の広い一方から凹部の幅の狭い他方に向けて連続的にインキを供給することにより、略均一な膜厚の機能層（本実施形態では発光層）を形成することができる。
【００７２】
なお赤インキ、緑インキ、青インキに使用される発光材料については後述する。なお各インキは、エネルギーを加えることによって重合可能な重合性化合物を含んでいてもよい。インキとしては、エネルギーを加えることによって重合可能な重合性基を有する発光材料を重合性化合物として含む赤インキ、緑インキ、青インキを使用してもよく、また、自身は重合しない発光材料と、この発光材料に加えて、重合可能な重合性基を有する重合性化合物とを含む赤インキ、緑インキ、青インキを使用してもよい。
【００７３】
重合性基としては、ビニル基、エチニル基、ブテニル基、アクリロイル基、アクリロイルアミノ基、メタクリロイル基、メタクリロイルアミノ基、ビニルオキシ基、ビニルアミノ基、シラノール基、シクロプロピル基、シクロブチル基、エポキシ基、オキセタニル基、ジケテニル基、エピチオ基、ラクトニル基、及びラクタムニル基などがあげられる。
【００７４】
また重合性化合物としては、重合性基を有するPDA（N, N'-テトラフェニル-1,4-フェニレンジアミン）の誘導体、重合性基を有するTPD（N, N'-ビス(3-メチルフェニル)-N,N'-ビス(フェニル)-ベンジジン）の誘導体、重合性基を有するNPD（N, N'-ビス(ナフタレン-1-イル)-N,N'-ビス(フェニル)-ベンジジン）の誘導体、トリフェニルアミンアクリレート、トリフェニレンジアミンアクリレート、フェニレンアクリレート、ビスフェノキシエタノールフルオレンジアクリレート（大阪ガスケミカル社製、商品名BPEF-A）、ジペンタエリスリトールヘキサアクリレート（日本化薬製KAYARD DPHA）、トリスペンタエリスリトールオクタアクリレート（広栄化学製）１，４−ブタンジオールジアクリレート（Alfa Aesar社製）、アロンオキセタン（OXT121;東亞合成製架橋剤）などをあげることができ、これらの中でもフェニルフルオレンアクリレートが好ましい。
【００７５】
発光層を形成した後、必要に応じて所定の有機層や無機層などを所定の方法によって形成する。これらは印刷法、インクジェット法、ノズルプリンティング法などの所定の塗布法、さらには所定の乾式法を用いて形成してもよい。
【００７６】
（上部電極を形成する工程）
つぎに上部電極を形成する。前述したように本実施形態では上部電極を支持基板上の全面に形成する。これによって複数の有機ＥＬ素子を基板上に形成することができる。
【００７７】
以上説明したように、本実施形態では、インキを供給するさいには、第１の方向Ｘにおいて、凹部の幅の広い一方から凹部の幅の狭い他方に向けて連続的にインキを供給することにより、略均一な膜厚の機能層（本実施形態では正孔注入層および発光層）を形成することができる。このように略均一な膜厚の機能層（本実施形態では正孔注入層および発光層）を形成することにより、各有機ＥＬ素子の発光特性のばらつきを抑えることができ、行ごとにスジが観測されることを防ぐことができ、表示装置としての表示品質を向上することができる。
【００７８】
なお、以上では（１）前記第１の凹部と第２の凹部とが、第２の方向に交互に配置される形態（図３参照）について説明したが、凹部は、（２）第２の方向に前記第１の凹部、第１の凹部、第２の凹部および第２の凹部の順に配置される凹部の並びが、第２の方向に繰り返し配置されていてもよい（図７参照）。
【００７９】
このような配置では、前述した、偶数種類（たとえば、赤インキ、緑インキ、青インキ、および白色の光を放つ材料を含む白インキ）を塗り分ける場合に、それぞれ凹部の幅の広い一方から凹部の幅の狭い他方に向けて連続的にインキを供給することができる。これによって各種の発光層の膜厚を均一にすることができる。
【００８０】
＜有機ＥＬ素子の構成＞
前述したように有機ＥＬ素子は種々の層構成をとりうるが、以下では有機ＥＬ素子の層構造、各層の構成、および各層の形成方法についてさらに詳しく説明する。
【００８１】
前述したように有機ＥＬ素子は、陽極および陰極からなる一対の電極（画素電極および上部電極）と、該電極間に設けられる１または複数の機能層とを含んで構成され、１または複数の機能層として少なくとも１層の発光層を有する。なお有機ＥＬ素子は、無機物と有機物とを含む層、および無機層などを含んでいてもよい。有機層を構成する有機物としては、低分子化合物でも高分子化合物でもよく、また低分子化合物と高分子化合物との混合物でもよい。有機層は、高分子化合物を含むことが好ましく、ポリスチレン換算の数平均分子量が１０３〜１０８である高分子化合物を含むことが好ましい。
【００８２】
陰極と発光層との間に設けられる機能層としては、電子注入層、電子輸送層、正孔ブロック層などを挙げることができる。陰極と発光層との間に電子注入層と電子輸送層との両方の層が設けられる場合、陰極に近い層を電子注入層といい、発光層に近い層を電子輸送層という。陽極と発光層との間に設けられる機能層としては、正孔注入層、正孔輸送層、電子ブロック層などを挙げることができる。正孔注入層と正孔輸送層との両方の層が設けられる場合、陽極に近い層を正孔注入層といい、発光層に近い層を正孔輸送層という。
【００８３】
本実施の形態の有機ＥＬ素子のとりうる層構成の一例を以下に示す。
ａ）陽極／発光層／陰極
ｂ）陽極／正孔注入層／発光層／陰極
ｃ）陽極／正孔注入層／発光層／電子注入層／陰極
ｄ）陽極／正孔注入層／発光層／電子輸送層／陰極
ｅ）陽極／正孔注入層／発光層／電子輸送層／電子注入層／陰極
ｆ）陽極／正孔輸送層／発光層／陰極
ｇ）陽極／正孔輸送層／発光層／電子注入層／陰極
ｈ）陽極／正孔輸送層／発光層／電子輸送層／陰極
ｉ）陽極／正孔輸送層／発光層／電子輸送層／電子注入層／陰極
ｊ）陽極／正孔注入層／正孔輸送層／発光層／陰極
ｋ）陽極／正孔注入層／正孔輸送層／発光層／電子注入層／陰極
ｌ）陽極／正孔注入層／正孔輸送層／発光層／電子輸送層／陰極
ｍ）陽極／正孔注入層／正孔輸送層／発光層／電子輸送層／電子注入層／陰極
ｎ）陽極／発光層／電子注入層／陰極
ｏ）陽極／発光層／電子輸送層／陰極
ｐ）陽極／発光層／電子輸送層／電子注入層／陰極
（ここで、記号「／」は、記号「／」を挟む各層が隣接して積層されていることを示す。以下同じ。）
【００８４】
本実施の形態の有機ＥＬ素子は２層以上の発光層を有していてもよい。上記ａ）〜ｐ）の層構成のうちのいずれか１つにおいて、陽極と陰極とに挟持された積層体を「構造単位Ａ」とすると、２層の発光層を有する有機ＥＬ素子の構成として、下記ｑ）に示す層構成を挙げることができる。なお２つある（構造単位Ａ）の層構成は互いに同じでも、異なっていてもよい。
ｑ）陽極／（構造単位Ａ）／電荷発生層／（構造単位Ａ）／陰極
また「（構造単位Ａ）／電荷発生層」を「構造単位Ｂ」とすると、３層以上の発光層を有する有機ＥＬ素子の構成として、下記ｒ）に示す層構成を挙げることができる。
ｒ）陽極／（構造単位Ｂ）ｘ／（構造単位Ａ）／陰極
なお記号「ｘ」は、２以上の整数を表し、（構造単位Ｂ）ｘは、構造単位Ｂがｘ段積層された積層体を表す。また複数ある（構造単位Ｂ）の層構成は同じでも、異なっていてもよい。
【００８５】
ここで、電荷発生層とは電界を印加することにより正孔と電子を発生する層である。電荷発生層としては、たとえば酸化バナジウム、インジウムスズ酸化物（Ｉｎｄｉｕｍ Ｔｉｎ Ｏｘｉｄｅ：略称ＩＴＯ）、酸化モリブデンなどから成る薄膜を挙げることができる。
【００８６】
有機ＥＬ素子は、陽極および陰極から構成される一対の電極のうちの陽極を陰極よりも支持基板寄りに配置して、支持基板に設けてもよく、また陰極を陽極よりも支持基板寄りに配置して、支持基板に設けてもよい。たとえば上記ａ）〜ｒ）において、右側から順に各層を支持基板上に積層して有機ＥＬ素子を構成してもよく、また左側から順に各層を支持基板上に積層して有機ＥＬ素子を構成してもよい。積層する層の順序、層数、および各層の厚さについては、発光効率や素子寿命を勘案して適宜設定することができる。
【００８７】
次に、有機ＥＬ素子を構成する各層の材料および形成方法についてより具体的に説明する。
【００８８】
＜陽極＞
発光層から放たれる光が陽極を通って素子外に出射する構成の有機ＥＬ素子の場合、陽極には光透過性を示す電極が用いられる。光透過性を示す電極としては、金属酸化物、金属硫化物および金属などの薄膜を用いることができ、電気伝導度および光透過率の高いものが好適に用いられる。具体的には酸化インジウム、酸化亜鉛、酸化スズ、ＩＴＯ、インジウム亜鉛酸化物（Ｉｎｄｉｕｍ Ｚｉｎｃ Ｏｘｉｄｅ：略称ＩＺＯ）、金、白金、銀、および銅などから成る薄膜が用いられ、これらの中でもＩＴＯ、ＩＺＯ、または酸化スズから成る薄膜が好適に用いられる。
【００８９】
陽極の作製方法としては、真空蒸着法、スパッタリング法、イオンプレーティング法、メッキ法などを挙げることができる。また陽極として、ポリアニリンもしくはその誘導体、ポリチオフェンもしくはその誘導体などの有機の透明導電膜を用いてもよい。
【００９０】
陽極の膜厚は、求められる特性や成膜工程の簡易さなどを考慮して適宜設定され、たとえば１０ｎｍ〜１０μｍであり、好ましくは２０ｎｍ〜１μｍであり、さらに好ましくは５０ｎｍ〜５００ｎｍである。
【００９１】
＜陰極＞
陰極の材料としては、仕事関数が小さく、発光層への電子注入が容易で、電気伝導度の高い材料が好ましい。また陽極側から光を取出す構成の有機ＥＬ素子では、発光層から放たれる光を陰極で陽極側に反射するために、陰極の材料としては可視光に対する反射率の高い材料が好ましい。陰極には、たとえばアルカリ金属、アルカリ土類金属、遷移金属および周期表の１３族金属などを用いることができる。陰極の材料としては、たとえばリチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムなどの金属、前記金属のうちの２種以上の合金、前記金属のうちの１種以上と、金、銀、白金、銅、マンガン、チタン、コバルト、ニッケル、タングステン、錫のうちの１種以上との合金、またはグラファイト若しくはグラファイト層間化合物などが用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金などを挙げることができる。また陰極としては導電性金属酸化物および導電性有機物などから成る透明導電性電極を用いることができる。具体的には、導電性金属酸化物として酸化インジウム、酸化亜鉛、酸化スズ、ＩＴＯ、およびＩＺＯを挙げることができ、導電性有機物としてポリアニリンもしくはその誘導体、ポリチオフェンもしくはその誘導体などを挙げることができる。なお陰極は、２層以上を積層した積層体で構成されていてもよい。なお電子注入層が陰極として用いられることもある。
【００９２】
陰極の膜厚は、求められる特性や成膜工程の簡易さなどを考慮して適宜設定され、たとえば１０ｎｍ〜１０μｍであり、好ましくは２０ｎｍ〜１μｍであり、さらに好ましくは５０ｎｍ〜５００ｎｍである。
【００９３】
陰極の作製方法としては、真空蒸着法、スパッタリング法、また金属薄膜を熱圧着するラミネート法などを挙げることができる。
【００９４】
＜正孔注入層＞
正孔注入層を構成する正孔注入材料としては、酸化バナジウム、酸化モリブデン、酸化ルテニウム、および酸化アルミニウムなどの酸化物や、フェニルアミン系化合物、スターバースト型アミン系化合物、フタロシアニン系化合物、アモルファスカーボン、ポリアニリン、およびポリチオフェン誘導体などを挙げることができる。
【００９５】
正孔注入層の膜厚は、求められる特性および成膜工程の簡易さなどを考慮して適宜設定され、たとえば１ｎｍ〜１μｍであり、好ましくは２ｎｍ〜５００ｎｍであり、さらに好ましくは５ｎｍ〜２００ｎｍである。
【００９６】
＜正孔輸送層＞
正孔輸送層を構成する正孔輸送材料としては、ポリビニルカルバゾール若しくはその誘導体、ポリシラン若しくはその誘導体、側鎖若しくは主鎖に芳香族アミンを有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリアリールアミン若しくはその誘導体、ポリピロール若しくはその誘導体、ポリ（ｐ−フェニレンビニレン）若しくはその誘導体、又はポリ（２，５−チエニレンビニレン）若しくはその誘導体などを挙げることができる。
【００９７】
正孔輸送層の膜厚は、求められる特性および成膜工程の簡易さなどを考慮して設定され、たとえば１ｎｍ〜１μｍであり、好ましくは２ｎｍ〜５００ｎｍであり、さらに好ましくは５ｎｍ〜２００ｎｍである。
【００９８】
＜発光層＞
発光層は、通常、主として蛍光及び／又はりん光を発光する有機物、または該有機物とこれを補助するドーパントとから形成される。ドーパントは、たとえば発光効率の向上や、発光波長を変化させるために加えられる。なお発光層を構成する有機物は、低分子化合物でも高分子化合物でもよく、塗布法によって発光層を形成する場合には、発光層は高分子化合物を含むことが好ましい。発光層を構成する高分子化合物のポリスチレン換算の数平均分子量はたとえば１０３〜１０８程度である。発光層を構成する発光材料としては、たとえば以下の色素系材料、金属錯体系材料、高分子系材料、ドーパント材料を挙げることができる。
【００９９】
（色素系材料）
色素系材料としては、たとえば、シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、ピラゾリンダイマー、キナクリドン誘導体、クマリン誘導体などを挙げることができる。
【０１００】
（金属錯体系材料）
金属錯体系材料としては、たとえばＴｂ、Ｅｕ、Ｄｙなどの希土類金属、またはＡｌ、Ｚｎ、Ｂｅ、Ｉｒ、Ｐｔなどを中心金属に有し、オキサジアゾール、チアジアゾール、フェニルピリジン、フェニルベンゾイミダゾール、キノリン構造などを配位子に有する金属錯体を挙げることができ、たとえばイリジウム錯体、白金錯体などの三重項励起状態からの発光を有する金属錯体、アルミニウムキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、フェナントロリンユーロピウム錯体などを挙げることができる。
【０１０１】
（高分子系材料）
高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素系材料や金属錯体系発光材料を高分子化したものなどを挙げることができる。
【０１０２】
発光層の厚さは、通常約２ｎｍ〜２００ｎｍである。
【０１０３】
＜電子輸送層＞
電子輸送層を構成する電子輸送材料としては、公知のものを使用でき、オキサジアゾール誘導体、アントラキノジメタン若しくはその誘導体、ベンゾキノン若しくはその誘導体、ナフトキノン若しくはその誘導体、アントラキノン若しくはその誘導体、テトラシアノアンスラキノジメタン若しくはその誘導体、フルオレノン誘導体、ジフェニルジシアノエチレン若しくはその誘導体、ジフェノキノン誘導体、又は８−ヒドロキシキノリン若しくはその誘導体の金属錯体、ポリキノリン若しくはその誘導体、ポリキノキサリン若しくはその誘導体、ポリフルオレン若しくはその誘導体などを挙げることができる。
【０１０４】
電子輸送層の膜厚は、求められる特性や成膜工程の簡易さなどを考慮して適宜設定され、たとえば１ｎｍ〜１μｍであり、好ましくは２ｎｍ〜５００ｎｍであり、さらに好ましくは５ｎｍ〜２００ｎｍである。
【０１０５】
＜電子注入層＞
電子注入層を構成する材料としては、発光層の種類に応じて最適な材料が適宜選択され、アルカリ金属、アルカリ土類金属、アルカリ金属およびアルカリ土類金属のうちの１種類以上を含む合金、アルカリ金属若しくはアルカリ土類金属の酸化物、ハロゲン化物、炭酸塩、またはこれらの物質の混合物などを挙げることができる。アルカリ金属、アルカリ金属の酸化物、ハロゲン化物、および炭酸塩の例としては、リチウム、ナトリウム、カリウム、ルビジウム、セシウム、酸化リチウム、フッ化リチウム、酸化ナトリウム、フッ化ナトリウム、酸化カリウム、フッ化カリウム、酸化ルビジウム、フッ化ルビジウム、酸化セシウム、フッ化セシウム、炭酸リチウムなどを挙げることができる。また、アルカリ土類金属、アルカリ土類金属の酸化物、ハロゲン化物、炭酸塩の例としては、マグネシウム、カルシウム、バリウム、ストロンチウム、酸化マグネシウム、フッ化マグネシウム、酸化カルシウム、フッ化カルシウム、酸化バリウム、フッ化バリウム、酸化ストロンチウム、フッ化ストロンチウム、炭酸マグネシウムなどを挙げることができる。電子注入層は、２層以上を積層した積層体で構成されてもよく、たとえばＬｉＦ／Ｃａなどを挙げることができる。
【０１０６】
電子注入層の膜厚としては、１ｎｍ〜１μｍ程度が好ましい。
【０１０７】
機能層のうちで塗布法によって形成することが可能な機能層が複数ある場合には、全ての機能層を塗布法を用いて形成することが好ましいが、たとえば塗布法によって形成することが可能な複数の機能層のうちの少なくとも１層を塗布法を用いて形成し、他の機能層を塗布法とは異なる方法によって形成してもよい。また複数の機能層を塗布法で形成する場合であっても、その塗布法の具体的方法が異なる塗布法によって複数の機能層を形成してもよい。たとえば本実施形態では正孔注入層および発光層をノズルプリンティング法によって形成したが、正孔注入層をスピンコート法で形成し、発光層をノズルプリンティング法によって形成してもよい。
【０１０８】
なお塗布法では、各機能層となる有機ＥＬ材料を含むインキを塗布成膜することによって機能層を形成するが、その際に使用されるインキの溶媒には、たとえばクロロホルム、塩化メチレン、ジクロロエタンなどの塩素系溶媒、テトラヒドロフランなどのエーテル系溶媒、トルエン、キシレンなどの芳香族炭化水素系溶媒、アセトン、メチルエチルケトンなどのケトン系溶媒、酢酸エチル、酢酸ブチル、エチルセルソルブアセテートなどのエステル系溶媒、および水などが用いられる。
【０１０９】
また塗布法とは異なる方法として、真空蒸着法、スパッタリング法、CVD法、ラミネート法などによって機能層を形成してもよい。
【符号の説明】
【０１１０】
４    ノズル
１１    支持基板
１２    画素電極
１３    正孔注入層
１４    発光層
１５    絶縁膜
１６    上部電極
１７    隔壁
１８    凹部
２０    隔壁部材
２１    発光装置
２２    有機ＥＬ素子
【図１】
0005796422.tif 000002
【図２】
0005796422.tif 000003
【図３】
0005796422.tif 000004
【図４】
0005796422.tif 000005
【図５】
0005796422.tif 000006
【図６】
0005796422.tif 000007
【図７】
0005796422.tif 000008
【図８】
0005796422.tif 000009